(57)【要約】  液状物質を収容しているリザーバ（７）と、アニロックス・シリンダ（８）と、クリシェ・ジャケット（１８）が着脱可能に取り付けられるクリシェ・シリンダ（９）とを備え、る配給ユニットであって、前記リザーバ（７）、前記アニロックス・シリンダ（８）、および前記クリシェ・シリンダ（９）が、前記物質を受け取るべきウェブ状材料（３）が当接して移動するシリンダ（２）から離れかつ近付くように移動可能であり、前記配給ユニットは、作業者側と動力伝達側とを有していて、前記アニロックス・シリンダ（８）および前記クリシェ・シリンダ（９）が、対応する作業者側の支持具（１４、１５）および動力伝達側の支持具（１６、１７）によって保持されており、さらに、対応するクリシェ・ジャケット（１８）を交換しなければならない場合に前記クリシェ・シリンダを片持ち梁状態に留めるための装置（１９）が、前記クリシェ・シリンダ（９）の動力伝達側の支持具（１７）に組み合わされており、前記クリシェ・シリンダ（９）の作業者側の支持具（１５）が、前記クリシェ・シリンダ（９）から離れかつ近付くように自動的に移動可能である第１および第２の部材（１５０、１５１）を備え、該部材が、使用時の構成において前記シリンダ（９）を作業者側で保持し、クリシェ・ジャケット（１８）交換時の構成において相互に離間してクリシェ・シリンダ（９）の作業者側を解放することを特徴とする配給ユニット。
2007516873.tif 000002
【特許請求の範囲】
【請求項１】
液状物質を収容しているリザーバ（７）と、アニロックス・シリンダ（８）と、クリシェ・ジャケット（１８）が着脱可能に取り付けられるクリシェ・シリンダ（９）とを備える配給ユニットであって、
前記リザーバ（７）、前記アニロックス・シリンダ（８）、および前記クリシェ・シリンダ（９）が、前記物質を受け取るべきウェブ状材料（３）が当接して移動するシリンダ（２）から離れかつ近付くように移動可能であり、
前記配給ユニットは、作業者側と動力伝達側とを有していて、前記アニロックス・シリンダ（８）および前記クリシェ・シリンダ（９）が、対応する作業者側の支持具（１４、１５）および動力伝達側の支持具（１６、１７）によって保持されており、
さらに、対応するクリシェ・ジャケット（１８）を交換しなければならない場合に前記クリシェ・シリンダを片持ち梁状態に留めるための装置（１９）が、前記クリシェ・シリンダ（９）の動力伝達側の支持具（１７）に組み合わされており、
前記クリシェ・シリンダ（９）の作業者側の支持具（１５）が、前記クリシェ・シリンダ（９）から離れかつ近付くように自動的に移動可能である第１および第２の部材（１５０、１５１）を備え、該部材が、使用時の構成において前記シリンダ（９）を作業者側で保持し、クリシェ・ジャケット（１８）交換時の構成において相互に離間してクリシェ・シリンダ（９）の作業者側を解放することを特徴とする配給ユニット。
【請求項２】
印刷機のカラー・ユニットであって、前記リザーバ（７）に収容されている前記物質がインクであることを特徴とする請求項１に記載の配給ユニット。
【請求項３】
前記リザーバ（７）に収容されている物質が接着剤であることを特徴とする請求項１に記載の配給ユニット。
【請求項４】
前記リザーバ（７）に収容されている物質が軟化剤であることを特徴とする請求項１に記載の配給ユニット。
【請求項５】
前記クリシェ・シリンダ（９）の作業者側の支持具（１５）の前記第１の部材（１５０）が、前記アニロックス・シリンダ（８）の作業者側の支持具（１４）に接続されており、該支持具（１４）の移動が前記部材（１５０）の移動を生じさせることを特徴とする請求項１に記載の配給ユニット。
【請求項６】
前記第１の部材（１５０）と前記アニロックス・シリンダ（８）の作業者側の支持具（１４）との間の接続が、前記部材（１５０）の側方の剛な付加物（３３）によって行われており、該付加物が前記支持具（１４）へと接続されていることを特徴とする請求項１および５に記載の配給ユニット。
【請求項７】
前記第１の部材（１５０）の付加物（３３）と前記アニロックス・シリンダ（８）の作業者側の支持具（１４）との間に、弾性手段（３４５）が介装されていることを特徴とする請求項１、５および６に記載の配給ユニット。
【請求項８】
前記クリシェ・シリンダ（９）の作業者側の支持具の前記第１および第２の部材（１５０、１５１）が、前記クリシェ・シリンダ（９）に対して反対側に配置されていることを特徴とする請求項１に記載の配給ユニット。
【請求項９】
前記クリシェ・シリンダ（９）の作業者側の支持具の前記第２の部材（１５１）が、前記クリシェ・シリンダ（９）の軸から離れかつ近付く前記第２の部材（１５１）の運動を制御する対応するアクチュエータ（２４）に組み合わされていることを特徴とする請求項１に記載の配給ユニット。
【請求項１０】
前記クリシェ・シリンダ（９）の作業者側の支持具（１５）の前記第２の部材（１５１）が、当該配給ユニット（１）が前記伝達シリンダ（２）に向かって前進するときに、当該配給ユニット（１）のためのストッパを構成することを特徴とする請求項１および９に記載の配給ユニット。
【請求項１１】
前記アニロックス・シリンダ（８）および前記クリシェ・シリンダ（９）の動力伝達側の支持具（１６、１７）に、それぞれ、弾性ストッパ（３４’）および剛体ストッパ（３３’）が設けられ、前記支持具（１６）および（１７）が互いに独立であることを特徴とする請求項１に記載の配給ユニット。
【請求項１２】
前記第１の部材（１５０）に、前記クリシェ・シリンダ（９）に面する凹所（１５７）が設けられていることを特徴とする請求項１に記載の配給ユニット。                  
【発明の詳細な説明】
【技術分野】
【０００１】
本発明は、液状物質の配給ユニットであって、これに限られるわけではないが、特にはキッチンペーパー・ロールの製造のための薄葉紙、紙ナプキン、ハンカチーフ、トイレットペーパーなどの連続的なウェブ状材料上へと印刷を実行するために使用される印刷機について、当該印刷機のためのカラー・ユニットとして利用できる液状物質の配給ユニットに関する。
【背景技術】
【０００２】
上記の種類の印刷を実行するために利用される印刷機は、フレキソ印刷機とも呼ばれるが、ウェブが周囲を巡って移動するドラムと、印刷インクが配給され、そこから印刷対象のウェブへと転写される少なくとも１つのクリシェ・シリンダとを備えることが知られている。クリシェ・シリンダ上へのインクの配給を達成するため、一般に「カラー・ユニット」と呼ばれているユニットであって、インクのためのリザーバ、すなわち「泉」と、リザーバからインクを受け取って接触によってクリシェ・シリンダへと転写する配給シリンダすなわち「アニロックス・シリンダ」と、泉とアニロックス・シリンダとの間に配置されて機能する２つの刃すなわちドクターと、を備えるユニットが使用される。
【０００３】
図１には、４つのカラー・ユニットを備える典型的なフレキソ印刷機が、概略的に示されている。この仕組みにおいて、（ＲＩ）は、矢印（Ｚ）の方向に移動する印刷対象のウェブ（Ｎ）が接触しつつ移動する伝達ロールを示しており、（Ｃ）、（Ｄ）および（Ｅ）は、ロール（ＲＩ）の上流に配置されたウェブ（Ｎ）の３つの案内ロールを示しており、（Ｆ）および（Ｇ）は、ロール（ＲＩ）の下流に配置されたウェブ（Ｎ）の２つの案内ロールを示しており、（Ｈ）、（Ｌ）、（Ｐ）および（Ｑ）は、ロール（ＲＩ）の周囲に対称に配置された４つの同一のカラー・ユニットを示しており、（ＣＤ）は、アニロックス・シリンダを示しており、（ＣＬ）は、クリシェ・シリンダを示しており、（ＬＳ）および（ＬＩ）は、泉（Ｕ）とアニロックス・シリンダ（ＣＤ）との間に配置されて機能する２つのドクターを示しており、（Ｓ）は、ドクター（ＬＳ、ＬＩ）の支持構造体を示している。２つのドクターが、構造体（Ｓ）およびアニロックス・シリンダ（ＣＤ）の表面と協働し、当該シリンダ（ＣＤ）のためのインクが収容される泉（Ｕ）を画定している。泉（Ｕ）の対向する２つのベースは、該当する密着プレートまたはガスケットによって閉じられている。（Ｍ）は、ロール（ＲＩ）の回転方向を示している。
【０００４】
クリシェ・シリンダは、平滑な表面を有する円筒形の本体によって構成され、この表面に、印刷すべき模様および文字を形成すべく機能するレリーフが設けられてなるジャケットが着脱可能に取り付けられる。このようなやり方で、印刷効果を変化させるためには、ジャケットをシリンダから取り外して別のジャケットで置き替えるだけで充分であり、以下ではこのようなジャケットを「クリシェ・ジャケット」と呼ぶ。
【０００５】
この作業は、たいていの場合、当該機械の全てのカラー・ユニットに関係する。クリシェ・ジャケットの交換の間機械が停止され、交換に要する時間が長くなるにつれ、製造ロスが大きくなる。
【０００６】
クリシェ・ジャケットを交換するため、作業者は、シリンダの支持体を少なくとも部分的には手動工具を使用して取り外す必要があり、これは、作業者の熟練度が低いほど長時間を必要とし、取り外されて後に再取り付けされる部品に損傷を与える恐れもある。
【０００７】
同じ欠点は、例えば接着剤や他の液状物質を移動中のウェブ状材料へと配給するために利用される配給ユニットであって、上記カラー・ユニットと同様の構造とされており、すなわちジャケット（この場合も、ウェブの全表面にわたって物質を配給するのではなく、ウェブの所定の点のみに物質を配給できるようにするレリーフが設けられているため、やはり「クリシェ・ジャケット」と呼ばれる）が可動に取り付けられるシリンダと、該当するリザーバから物質を受け取って接触によってクリシェ・シリンダへと伝達する配給シリンダと、が設けられている配給ユニットにも関係する。
【発明の開示】
【発明が解決しようとする課題】
【０００８】
本発明の主たる目的は、クリシェ・ジャケットの交換を短時間化および容易化するため適切な構造とされた配給ユニット、特に印刷機のカラー・ユニットを提供することにある。
【課題を解決するための手段】
【０００９】
この効果は、本発明によれば、配給ユニットに請求項１に示した特徴を持たせることによって達成される。さらなる特徴が、従属請求項に記載されている。
【発明の効果】
【００１０】
本発明は、クリシェ・ジャケットの交換に要する時間の大幅な短縮を実現可能にし、これによって機械の停止に起因する製造におけるロスを減らすことができる。この利点は、この作業に係る配給ユニットの数が多ければ多いほど、より顕著である。
【００１１】
さらに、本発明による装置は、比較的製造が容易であり、より容易かつより安全に使用することができ、長期間の使用後でも信頼性が高い。
【００１２】
本発明のこれらの利点および特徴ならびに他の利点および特徴が、本発明の実施上の例示として与えられ決して本発明を限定するものではない以下の説明を、添付の図面と関連させつつ検討することによって、当業者にとって最もよく理解されるであろう。
【発明を実施するための最良の形態】
【００１３】
用語「作業者側」とは、作業者が対応するシリンダからクリシェ・ジャケットを引き出して、別のクリシェ・ジャケットと交換することができる側を意味する。用語「動力伝達側」とは、当該機械の反対側を意味し、すなわちクリシェ・シリンダまたはクリシェ・ロールならびにアニロックス・ロールまたはアニロックス・シリンダを回転させるモータが配置されている方に対応する側を意味する。ロールまたはシリンダという用語は、上記によれば、レリーフが設けられてなる筒状のジャケットを取り付けることができる平滑または事実上平滑な表面を備える円柱形の本体である。前記筒状のジャケットは、（配給される物質がインクであるか、他の物質であるかにかかわらず）「クリシェ・ジャケット」と呼ばれる。
【００１４】
添付の図面（図２〜１２）には、印刷が実行される紙材料のウェブ（３）のための伝達シリンダ（２）の周囲に４つのカラー・ユニット（１）を対称に配置して備える印刷機が示されている。この機械には、さらに、ウェブ（３）のための一連の案内ローラ（４）が、シリンダ（２）の上流および下流に配置されて設けられており、これらロール（４）は、シリンダ（２）を支持するとともに対応するブラケット（６）によってカラー・ユニット（１）を支持している固定の構造体（５）に組み合わされている。
【００１５】
各カラー・ユニット（１）は、構造体（５）の該当するブラケット（６）に配置され、インクのためのリザーバ（７）または「泉」と、アニロックス・シリンダ（８）と、クリシェ・シリンダ（９）とを備え、クリシェ・シリンダ（９）は、印刷を実行すべきウェブ（３）がクリシェ・シリンダと伝達シリンダとの間にもたらされるよう、伝達シリンダ（２）に隣接して配置されている。従来からのシステムと同様、アニロックス・シリンダ（８）およびクリシェ・シリンダ（９）は、それらを互いに平行でありかつ伝達シリンダ（２）の回転軸と平行であるそれぞれの長手軸を中心として回転駆動するため、対応する電動モータ（１０、１１）に組み合わされている。クリシェ・シリンダ（９）は、クリシェ・ジャケット（１８）が取り付けられる平滑または事実上平滑な表面を備える円筒形の本体で構成される形式である。アニロックス・シリンダ（８）が、泉（７）からインクを受け取り、接触によってクリシェ・シリンダ（９）へと伝達し、次いでクリシェ・シリンダ（９）が、伝達シリンダ（２）上を移動するウェブ（３）へと印刷を実行する。
【００１６】
アニロックス・シリンダ（８）およびクリシェ・シリンダ（９）は、対応する軸棒または軸（１２、１３）を、当該機械の作業者側および動力伝達側の両方に向かって延在させて有する。これらの軸棒（１２、１３）は、該当するブラケット（６）へと取り付けられている対応する作業者側の支持具（１４、１５）および動力伝達側の支持具（１６、１７）に配置されている。さらに具体的には、アニロックス・シリンダ（８）の軸棒（１２）が、常に該当する支持具（１４）および（１６）に置かれる一方で、クリシェ・シリンダ（９）の軸棒（１３）は、印刷作業の間のみ両方の支持具（１５）および（１７）に置かれる。すなわち、この軸棒（１３）は、後でさらに詳しく説明するとおり、それぞれのクリシェ・ジャケット（１８）の引き出しおよび交換の際には、動力伝達側の支持具（１７）へと「片持ち梁」状態で固定され、作業者側は自由である。
【００１７】
クリシェ・シリンダ（９）を片持ち梁状態に留めるため、例えば、ピストン（１９）を、当該シリンダ（９）の動力伝達側の支持具（１７）に取り付けて使用することができる。このピストンの軸が、軸棒（１３）に対して半径方向を向いており、シリンダ（９）の軸棒（１３）の後部、すなわち軸棒（１３）のモータ（１１）へと接続される部位へと噛入されたスリーブ（２０）を係止することができる。ピストン（１９）の軸が引き出されたとき、軸棒（１３）が支持具（１７）へと固定され、したがって後で説明するやり方によって、この軸の作業者側の部分を支持具（１５）から切り離し、ジャケット（１８）を交換できる。使用時、すなわち印刷時には、ピストン（１９）の軸が格納され、軸棒（１３）が該当する両方の支持具（１５）および（１７）に位置して、その長手軸を中心として自由に回転できる。
【００１８】
アニロックス・シリンダ（８）の作業者側の支持具（１４）および動力伝達側の支持具（１６）の両者は、互いに平行であってブラケット（６）に固定されており泉（７）、アニロックス・シリンダ（８）、およびクリシェ・シリンダ（９）の長手軸に対して直角である直線状のガイド（２１）に取り付けられ、ブラケット（６）上で可動である。前記支持具（１４、１６）は、それぞれ各支持具（１４、１６）の基部の中央に係合して電動モータ（２３）によって駆動される対応する２つのねじ調整機構（２２）によって、このガイド上を移動することができる。これらモータの回転が、クリシェ・シリンダ（９）への支持具（１４、１６）の接近、したがってアニロックス・ローラ（８）の接近を生じさせ、その反対に、これらの離間を生じさせる。前記モータ（２３）は、前記構造体（５）に固定され、構造体（５）の２つのヘッダ（５０、５１）に対応して配置されている。モータ（２３）が、作業者側のヘッダ（５０）に配置され、他方のモータ（２３）が、動力伝達側のヘッダ（５１）に配置されている。
【００１９】
好都合なことに、本発明によれば、クリシェ・シリンダ（９）の作業者側の支持具（１５）が、２つの部材（１５０、１５１）で構成されており、当該機械の通常動作の状態すなわち印刷時に、これら２つの部材（１５０、１５１）がシリンダ（９）へと閉じられ、シリンダ（９）の軸棒（１３）がその長手軸を中心として自由に回転できる対応する支持具を形成する。クリシェ・ジャケット（１８）の抜き取りが可能な状態においては、クリシェ・シリンダ（９）が片持ち梁状態にあり（すなわち、ピストン１９によって動力伝達側の対応する支持具１７に固定されている）、前記２つの部材（１５０、１５１）が、シリンダ（９）から離間している。
【００２０】
添付の図面に示されている実施の形態によれば、前記作業者側の支持具（１５）の部材（１５０）が、アニロックス・シリンダ（８）の作業者側の支持具（１４）に接続され、同じガイド（２１）上にスライド可能に取り付けられており、したがって支持具（１４）の動きが部材（１５１）の動きを決定する。例えば、前記部材（１５０）とアニロックス・シリンダ（８）の作業者側の支持具（１４）との間の接続を、部材（１５０）の側方の剛な付加物（３３）を、この接続用付加物（３３）の一部分（８９）が支持具（１４）に形成された対応する収容座（３４６）に位置するよう、２つ以上のねじ（８８）で支持具（１４）に接続することによって達成できる。好ましくは、前記付加物（３３）は、筒状または円柱状あるいは角柱状の形状とされ、支持具（１４）の内部に該当する部分（８９）が、フランジの形状とされ、このフランジ（８９）を受け入れる支持具（１４）の座（３４６）が、部材（１５０）に面する側にフランジ（８９）の脱離を防止する閉鎖フレーム（３４）を有する。このフレーム（１５０）は、ねじ（８７）によって支持具（１４）に固定され、フランジ（８９）と接触している。さらに詳しくは、フレーム（１５０）が、フランジの座（３４６）の外側を向いている方の面、すなわち部材（１５０）の方を向いている面と接触している。
【００２１】
前記部材（１５０）の側方の付加物（３３）のフランジ（８９）を収容している支持具（１４）の同じ座（３４６）には、ばね（３４５）が配置され、座（３４６）の底部（３４７）と付加物（３３）との間に位置している。
【００２２】
アニロックス・シリンダ（８）の手前側の支持具（１４）を移動させるねじ（２２）は、その軸を中心として自由に回転可能に、部材（１５０）の開口（１５５）を通過している。クリシェ・シリンダ（９）の手前側の支持具（１５）の第２の可動部材（１５１）は、対応する電動モータ（２４）へと接続されており、この電動モータ（２４）が、対応するねじ調節機構（２５）によって、可動部材（１５１）をシリンダ（９）から離れるように平行移動させ、シリンダ（９）に向かって平行移動させることができる。
【００２３】
前記部材（１５０、１５１）が、すでに述べたように、クリシェ・シリンダ（９）の手前側の支持具（１５）を規定しており、当該シリンダ（９）に面するそれぞれの凹所（１５６、１５７）によって、クリシェ・シリンダ（９）の手前端のフランジ（９０）のための正反対に対向する２つの別個の支持部を形成しており、ここで前記フランジ（９０）は、クリシェ・シリンダ（９）の軸棒（１３）のベアリングを収容している。換言すると、シリンダ（９）の手前端に、印刷時に部材（１５０）の凹所（１５７）に当接して位置するフランジ（９０）が設けられており、さらに部材（１５０）と協働する部材（１５１）が、正反対の側においてフランジ（９０）に接している（図５を参照）。反対に、シリンダ（９）の手前端を解放した状態においては、部材（１５０、１５１）の両者がシリンダ（９）から離間する（図６を参照）。シリンダ（９）のフランジ（９０）からの部材（１５１）の離間は、該当のモータ（２４）によって直接操作される。シリンダ（９）のフランジ（９０）からの部材（１５０）の離間は、部材（１５０）へと接続され該当のモータ（２３）の制御の下で自らと一緒に部材（１５０）を駆動する支持具（１４）の後方への動きによって決定される。
【００２４】
アニロックス・シリンダ（８）の動力伝達側の支持具（１６）は、作業者側の支持具（１４）と構造的に同一である。
【００２５】
クリシェ・シリンダ（９）の動力伝達側の支持具（１７）は、１つの部材によって作られるとともに、筒状の付加物（１７０）をシリンダ（９）に面して備えている。この付加物が、該当の軸棒（１３）の対応する部位および前記スリーブ（２０）のための座を画定しており、シリンダ（９）を片持ち梁状態に留める必要があるとき、ピストン（１９）の軸がスリーブ（２０）へと押し込まれる。この筒状の付加物（１７０）の反対側には、シリンダ（９）を回転させるモータ（１１）のケーシングが取り付けられている。
【００２６】
前記支持具（１７）は、当該支持具を伝達シリンダ（２）から離間させ、その後に動作状態へと再配置する必要があるときに、当該支持具を前記ガイド（２１）に沿って動かすことができるよう、ねじ調節機構（１７８）によって対応する電動モータ（１７７）へと接続されている。
【００２７】
アニロックス・シリンダ（８）およびクリシェ・シリンダ（９）の動力伝達側の支持具（１６、１７）には、それぞれ弾性ストッパ（３４’）および剛体ストッパ（３３’）が設けられている。前記支持具（１６）および（１７）は、互いに接続されてはおらず、互いに独立である。
【００２８】
アニロックス・シリンダ（８）の動力伝達側の支持具（１６）を該当のモータ（２３）へと接続するねじ（２２）が、その長手軸を中心として自由に回転できる状態で、クリシェ・シリンダ（９）の動力伝達側の支持具（１７）に設けられた対応する開口（６７）を通過している。
【００２９】
さらに、泉（７）も、従来からの印刷機のカラー・ユニットにおいて設けられているように、必要なときにアニロックス・シリンダ（８）へと接近させ、アニロックス・シリンダ（８）から離間させることができるよう、前記ガイド（２１）上に可動に取り付けられている。
【００３０】
前記アクチュエータ（１０、１１、１９、２３、２４、１７７）は、産業自動化の技術分野の専門家にとって公知の種類のプログラマブル電子ユニット（８０）に接続されており、したがって詳しくは説明しない。電子ユニット（８０）は、作業者による指令にもとづき、上述および後述の動作を自動制御する。
【００３１】
停止させた機械において、カラー・ユニット（１）のシリンダ（９）からクリシェ・ジャケット（１８）を引き抜き、引き抜いたジャケットを他のジャケットと交換するため、何が行なわれるのかを以下で説明する。
【００３２】
ユニット（８０）がピストン（１９）を動作させ、ピストン（１９）が、軸棒（１３）に噛入されたスリーブ（２０）に作用して、軸棒（１３）を片持ち梁状態に留める。この動作と同時に、ユニット（８０）がモータ（２３）を動作させ、モータ（２３）が、ねじ（２２）によって、アニロックス・ローラ（８）の支持具（１４）および（１６）を後方へと動かす。泉（７）が、支持具（１４）および（１６）によって押された結果として、後方へと移動する。クリシェ・シリンダ（９）の手前側の支持具（１５）の部材（１５０）は、アニロックス・ローラ（８）の手前側の支持具（１４）に接続されているため、アニロックス・ローラ（８）の手前側の支持具（１４）によって動かされる。支持具（１５）の部材（１５１）は、該当のモータ（２４）によってシリンダ（９）から引き離される。クリシェ・シリンダ（９）の動力伝達側の支持具（１７）は、該当のモータ（１７７）によって伝達シリンダ（２）から引き離される。この時点において、シリンダ（９）の作業者側の端部は自由であり、クリシェ・ジャケット（１８）を自由に引き抜いて、交換することができる（やり方は専門家にとって公知であり、したがって詳しくは説明しない）。
【００３３】
カラー・ユニットを動作状態に再配置するため、ユニット（８０）が上記動作の逆を実行し、全ての支持具（１４、１５、１６、１７）が、それらの最初の位置および構成に戻され、その後にピストン（１９）が軸棒（１３）を解放し、この時点で軸棒（１３）が、自由に回転できる状態で該当する作業者側および動力伝達側の支持具に位置する。支持具（１５）の部材（１５０）の動作時の構成への再配置は、モータ（１７７）が支持具（１７）をその初期位置へと戻した後で、支持具（１４）の前進によって、部材（１５０）をシリンダ（９）に向かって、シリンダ（９）のフランジ（９０）と部材（１５１）との間の接触が再度確立するまで押すことによって決定され、ここで部材（１５１）の位置が、当該ユニットのためのストッパを構成し、特には伝達シリンダ（２）に向かって移動するクリシェ・シリンダ（９）のためのストッパを構成する。動作時の状態において、支持具（１６）の弾性ストッパ（３４’）が、支持具（１７）の側方の剛体ストッパ（３３’）へと押し付けられ、さらに支持具（１４）に収容されているばね（３４５）も圧縮され、シリンダ（９）のフランジ（９０）と部材（１５１）との間の接触を常に確保している。
【００３４】
以上の説明は、印刷機のカラー・ユニットについて述べているが、予想されるとおり、本発明による装置は、塗布される物質がインクではないが、別の種類の物質（すなわち、接着剤、軟化液、あるいはその他）が特には紙ウェブなどのウェブ状材料の所定の点または領域へと、クリシェ・ジャケットが着脱可能に取り付けられて設けられ、配給シリンダが対応するリザーバから受け取った物質がこの配給シリンダとの接触によってジャケットへと移されるシリンダによって塗布される場面に、好都合に適用可能である。この場合、リザーバは、インクの代わりに接着剤、軟化剤、あるいはその他を含むであろう。
【００３５】
実施にあたっては、構成の細部は、形状、寸法、部材の配置、および使用される材料の性状に関する限りにおいて、ここで採用した課題解決のためのアイデアの範囲から決して離れることなく、したがって本件特許へと与えられる保護の範囲内において、任意の等価なやり方で変更することができる。
【図面の簡単な説明】
【００３６】
【図１】４つのカラー・ユニットを備える典型的なフレキソ印刷機を概略的に示している。
【図２】図１に類似した概略図であるが、本発明による４つのカラー・ユニットを備える機械を示している。
【図３】本発明によるカラー・ユニットのクリシェ・シリンダまたはクリシェ・ロールの支持具の断面概略図である。
【図４】本発明によるカラー・ユニットのアニロックス・シリンダまたはアニロックス・ロールの支持具の断面概略図である。
【図５】本発明によるカラー・ユニットを作業者側から見た断面概略図であり、クリシェ・ロールが作業者側の該当の支持具に完全に位置した構成である。
【図６】図５と同様の図を表わしているが、前記支持具が解放された状態で示されている。
【図７】図５と同様の断面図を表わしているが、カラー・ユニットを動力伝達側から眺めている。
【図８】図６と同様の断面図を表わしているが、カラー・ユニットを動力伝達側から眺めている。
【図９】動作時の構成にある図２の機械の一部の斜視概略図を表わしており、いくつかの部品が他の部品をよりよく表示するために取り去られている。
【図１０】図９と同様の図を表わしており、カラー・ユニットのシリンダの支持具がクリシェ・ジャケットの引き抜きを可能にした構成にある。
【図１１】アクチュエータの制御システムの簡略化したブロック図を表わしている。
【図１２】図５の拡大詳細を表わしている。
【図１】
2007516873.tif 000003
【図２】
2007516873.tif 000004
【図３】
2007516873.tif 000005
【図４】
2007516873.tif 000006
【図５】
2007516873.tif 000007
【図６】
2007516873.tif 000008
【図７】
2007516873.tif 000009
【図８】
2007516873.tif 000010
【図９】
2007516873.tif 000011
【図１０】
2007516873.tif 000012
【図１１】
2007516873.tif 000013
【図１２】
2007516873.tif 000014
【手続補正書】
【提出日】平成17年7月29日(2005.7.29)
【手続補正１】
【補正対象書類名】特許請求の範囲
【補正対象項目名】全文
【補正方法】変更
【補正の内容】
【特許請求の範囲】
【請求項１】
液状物質を収容しているリザーバ（７）と、アニロックス・シリンダ（８）と、クリシェ・ジャケット（１８）が着脱可能に取り付けられるクリシェ・シリンダ（９）とを備える配給ユニットであって、
前記リザーバ（７）、前記アニロックス・シリンダ（８）、および前記クリシェ・シリンダ（９）が、前記物質を受け取るべきウェブ状材料（３）が当接して移動するシリンダ（２）から離れかつ近付くように移動可能であり、
前記配給ユニットは、作業者側と動力伝達側とを有していて、前記アニロックス・シリンダ（８）および前記クリシェ・シリンダ（９）が、対応する作業者側の支持具（１４、１５）および動力伝達側の支持具（１６、１７）によって保持されており、
さらに、対応するクリシェ・ジャケット（１８）を交換しなければならない場合に前記クリシェ・シリンダを片持ち梁状態に留めるための装置（１９）が、前記クリシェ・シリンダ（９）の動力伝達側の支持具（１７）に組み合わされており、
前記クリシェ・シリンダ（９）の作業者側の支持具（１５）が、前記クリシェ・シリンダ（９）から離れかつ近付くように自動的に移動可能である第１および第２の部材（１５０、１５１）を備え、該部材が、使用時の構成において前記シリンダ（９）を作業者側で保持し、クリシェ・ジャケット（１８）交換時の構成において相互に離間してクリシェ・シリンダ（９）の作業者側を解放し、前記クリシェ・シリンダ（９）の作業者側の支持具の前記第２の部材（１５１）が、前記クリシェ・シリンダ（９）の軸から離れかつ近付く前記第２の部材（１５１）の運動を制御する対応するアクチュエータ（２４）に組み合わされ、前記クリシェ・シリンダ（９）の作業者側の支持具（１５）の前記第２の部材（１５１）が、当該配給ユニット（１）が前記伝達シリンダ（２）に向かって前進するときに、当該配給ユニット（１）のためのストッパを構成することを特徴とする配給ユニット。
【請求項２】
印刷機のカラー・ユニットであって、前記リザーバ（７）に収容されている前記物質がインクであることを特徴とする請求項１に記載の配給ユニット。
【請求項３】
前記リザーバ（７）に収容されている物質が接着剤であることを特徴とする請求項１に記載の配給ユニット。
【請求項４】
前記リザーバ（７）に収容されている物質が軟化剤であることを特徴とする請求項１に記載の配給ユニット。
【請求項５】
前記クリシェ・シリンダ（９）の作業者側の支持具（１５）の前記第１の部材（１５０）が、前記アニロックス・シリンダ（８）の作業者側の支持具（１４）に接続されており、該支持具（１４）の移動が前記部材（１５０）の移動を生じさせることを特徴とする請求項１に記載の配給ユニット。
【請求項６】
前記第１の部材（１５０）と前記アニロックス・シリンダ（８）の作業者側の支持具（１４）との間の接続が、前記部材（１５０）の側方の剛な付加物（３３）によって行われており、該付加物が前記支持具（１４）へと接続されていることを特徴とする請求項１および５に記載の配給ユニット。
【請求項７】
前記第１の部材（１５０）の付加物（３３）と前記アニロックス・シリンダ（８）の作業者側の支持具（１４）との間に、弾性手段（３４５）が介装されていることを特徴とする請求項１、５および６に記載の配給ユニット。
【請求項８】
前記クリシェ・シリンダ（９）の作業者側の支持具の前記第１および第２の部材（１５０、１５１）が、前記クリシェ・シリンダ（９）に対して反対側に配置されていることを特徴とする請求項１に記載の配給ユニット。
【請求項９】
前記アニロックス・シリンダ（８）および前記クリシェ・シリンダ（９）の動力伝達側の支持具（１６、１７）に、それぞれ、弾性ストッパ（３４’）および剛体ストッパ（３３’）が設けられ、前記支持具（１６）および（１７）が互いに独立であることを特徴とする請求項１に記載の配給ユニット。
【請求項１０】
前記第１の部材（１５０）に、前記クリシェ・シリンダ（９）に面する凹所（１５７）が設けられていることを特徴とする請求項１に記載の配給ユニット。
【手続補正２】
【補正対象書類名】明細書
【補正対象項目名】０００７
【補正方法】変更
【補正の内容】
【０００７】
同じ欠点は、例えば接着剤や他の液状物質を移動中のウェブ状材料へと配給するために利用される配給ユニットであって、上記カラー・ユニットと同様の構造とされており、すなわちジャケット（この場合も、ウェブの全表面にわたって物質を配給するのではなく、ウェブの所定の点のみに物質を配給できるようにするレリーフが設けられているため、やはり「クリシェ・ジャケット」と呼ばれる）が可動に取り付けられるシリンダと、該当するリザーバから物質を受け取って接触によってクリシェ・シリンダへと伝達する配給シリンダと、が設けられている配給ユニットにも関係する。配給ユニットは米国特許第６６１５７６号、欧州特許第７４１００９号及び欧州特許第５９６２４４号に記載されている。
【国際調査報告】
2007516873.tif 000015
2007516873.tif 000016
2007516873.tif 000017